(57)【要約】【課題】従来のように、野菜・根菜類のスライスを行う際に受箱やボール上にスライサーを載置してスライス作業を行うことに限定するのではなく、そのスライス作業を安定した状態で場所を選ばず何れの場所においても、即ち本スライサーを手で持ち中空にかざしてでも行うことを可能とし、しかも被スライス物体の収納から、さらし水の水切りまでを簡単に行うことのできるスライサーを提供することにある。【解決手段】本発明の受袋付きスライサーは、スライサーＳに着脱を自在とするスライスした被スライス物体を収納する受袋２０と、野菜、根菜等のスライス・千切り・みじん切り等の被スライス物体を形成するためのスライサーＳであって、該スライサーＳは前記基体１０に被スライス物体を形成するための刃体１１を前記基体１０の所要箇所に設け、前記刃体１１を着脱装置１７で囲み、該囲んだ状態で着脱装置１７を前記基体１０に取付け、前記着脱装置１７と前記受袋２０の開口縁２２で受袋２０をスライサーＳに着脱を自在とした。【選択図】図１
2015157347.tif 000002
【特許請求の範囲】
【請求項１】
本発明の受袋付きスライサーは、スライサーＳに着脱を自在とするスライスした被スライス物体を収納する受袋２０と、野菜、根菜等のスライス・千切り・みじん切り等の被スライス物体を形成するためのスライサーＳであって、該スライサーＳは前記基体１０に被スライス物体を形成するための刃体１１を前記基体１０の中程に設け、前記刃体１１を着脱装置１７で囲み、該囲んだ状態で着脱装置１７を前記基体１０に取付けたことを特徴とする受袋付きスライサー。
【請求項２】
前記受袋２０の開口縁２２とスライサーＳの着脱装置１７で、前記受袋２０をスライサーＳに着脱することを特徴とする請求項１記載の受袋付きスライサー。
【請求項３】
前記開口縁２２に着脱装置’２７を設け該着脱装置’２７とスライサーＳの着脱装置１７で、前記受袋２０をスライサーＳに着脱することを特徴とする請求項１記載の受袋付きスライサー。
【請求項４】
野菜、根菜等のスライス・千切り・みじん切り等の被スライス物体を形成するためのスライサーＳであって、該スライサーＳは前記基体１０に被スライス物体を形成するための刃体１１を前記基体１０の中程に設け、該スライサーＳの基体１０に取付けられた前記刃体１１を受袋２０の開口縁２２で囲み、前記囲んだ状態でこの受袋２０の開口縁２２を前記基体１０に固設したことを特徴とする受袋付きスライサー。
【請求項５】
前記スライサーＳに取付けて使用する受袋２０であって、該受袋２０を網としたことを特徴とする請求項１〜請求項４記載の受袋付きスライサー。
【発明の詳細な説明】
【技術分野】
【０００１】本発明は野菜・根菜等をスライス・千切り・みじん切り等をするスライサーに関する。
【背景技術】
【０００２】従来の野菜をスライス・千切り・みじん切り等を作るためのスライサーは付属の受箱や、キッチン用ボール内に一旦被スライス物体を収納し、この容器内に水を加えてさらし、その後に水を切り食器等に移し食していた。
【発明の概要】
【発明が解決しようとする課題】
【０００３】この種のスライサーでは、一旦被スライス物体をボール内にスライスしておき、このボール内に水を加えてさらし、その後に水を切って食器皿などに移しスライスを形成するようにしていた。このような水切りでは、ボール上にスライサーを載せてスライス作業を行うことからスライサーが不安定でボールから外れて作業不能がしばしばあった。更に、被スライス物体を収容する受箱やボール等を具備するため構成部品が多く、広い作業スペースや、不使用時の広い収納スペースが必要である。【０００４】また、キャンプ等の野外で野菜サラダ等を作る場合、水切りのために嵩張るボール又は籠等を持参して行かなければならず、前記から出掛ける際には荷物等を最小限に留め、できるだけコンパクトにまとめ嵩張るボール等を使用しなくても野菜の水洗い及び水切りをすることができることを目的とする。【０００５】上記のように受箱やボール上に載置してスライス作業を行うことに限定するものではなくそのスライス作業場所を選ばず、空間も含め何れの場所においても速やかに行うことが可能で、しかも被スライス物体の収納から、さらし水、水切り、更に盛り付けと食器までを手間を掛けず簡単に行うことのできるスライサーを提供することにある。
【課題を解決するための手段】
【０００６】以下に、本発明の受袋付きスライサーＳを各部に符号を付して手段を示せば、上記課題を解消するために、本発明の受袋付きスライサーＳは、該スライサーＳに着脱を自在とした被スライス物体を収納するための受袋２０と、被スライス物体を形成するためのスライサーＳからなり、前記受袋２０は袋底２４と開口部２１、さらに開口縁２２からなっている。また前記スライサーＳは、基体１０と該基体１０の中ほどの所要箇所に設けた刃体１１からなり、前記スライサーＳの基体１０に前記受袋２０を着脱自在とするための該受袋２０の開口縁２２と係合する着脱装置１７を取り付けてなる。【０００７】更に、前記スライサーＳは、野菜や根菜等のスライス・千切り等の被スライス物体を形成するためのスライサーＳである。該スライサーＳには被スライス物体を形成するための刃体１１を前記基体１０の略中程に取付け、前記刃体１１を、前記受袋２０の開口縁２２と係合する所要数のフック状からなる着脱装置１７で囲み、前記刃体１１を着脱装置１７で囲んだ状態で前記着脱装置１７を基体１０の所要箇所に取り付ける。【０００８】前記では、着脱装置１７をフック状としたが前記形状に限定するものではなく該着脱装置１７は受袋２０の開口縁２２と互いに係合する必要から前記形状に限定するものではなく適切な形状に設計すればよい。【０００９】前記スライサーＳに着脱を自在とする受袋２０は網製で、開口部２１と開口縁２２、袋底２４からなっていて、前記受袋２０を開口縁２２で直接スライサーＳに着脱を自在としてもよいが、又次のようにしてもよい。即ち、受袋２０の開口縁２２にリング状やＵ字状の枠又は、他の形状の着脱装置’２７設け、該着脱装置’２７と前記スライサーＳの着脱装置１７で、前記スライサーＳに受袋２０を着脱自在としてもよい。前記着脱装置’２７に於いてもスライサーＳの着脱装置１７と係合する必要から適切な形状に設計すればよい。【００１０】上記の他の手段として次のようにした。即ち野菜、根菜等のスライス・千切り・みじん切り等の被スライス物体を形成するために基体１０と刃体１１からなるスライサーＳにおいて、該スライサーＳの基体１０に取付けられた刃体１１を受袋２０の開口縁２２で囲み、この囲んだ状態で開口縁２２を前記基体１０の所要箇所に固着した。此の際に於いては受袋２０の袋底２４に底口２５を設け該底口２５を巾着状またはファスナーで開閉可能な底口２５としてなる。【００１１】上記本受袋付きスライサーＳの効用は、該スライサーＳを流し台等の台上に設置し従来通りの使用も可能だが、本スライサーＳを手に持って中空にかざし扱うことも可能とした。前記からスライサーＳの操作は自在となり従来のように設置場所の選択設定からも解放される。更に、本受袋付きスライサーＳで野菜・根菜等をスライスすると、スライスと同時に前記被スライス物体が前記受袋２０に即収納され、この収納されたままの状態で水洗いから水切りと、本受袋付きスライサーによって一連の作業を連続的に行うことを可能とした。更にスライサーＳの収納場所も従来のように大きな場所を必要としないし、また、キャンプ等野外の使用では収納が簡単で、しかも移動のための持ち運びにその効果を発揮するものである。【００１２】上記、各部をまとめると下記となる。即ち、
（請求項１）
本発明の受袋付きスライサーは、スライサーＳに着脱を自在とするスライスした被スライス物体を収納する受袋２０と、野菜、根菜等のスライス・千切り・みじん切り等の被スライス物体を形成するためのスライサーＳであって、該スライサーＳは前記基体１０に被スライス物体を形成するための刃体１１を前記基体１０の中程に設け、前記刃体１１を着脱装置１７で囲み、該囲んだ状態で着脱装置１７を前記基体１０に取付けたことを特徴とする受袋付きスライサー。
（請求項２）
前記受袋２０の開口縁２２とスライサーＳの着脱装置１７で、前記受袋２０をスライサーＳに着脱することを特徴とする請求項１記載の受袋付きスライサー。
（請求項３）
前記開口縁２２に着脱装置’２７を設け該着脱装置’２７とスライサーＳの着脱装置１７で、前記受袋２０をスライサーＳに着脱することを特徴とする請求項１記載の受袋付きスライサー。
（請求項４）
野菜、根菜等のスライス・千切り・みじん切り等の被スライス物体を形成するためのスライサーＳであって、該スライサーＳは前記基体１０に被スライス物体を形成するための刃体１１を前記基体１０の中程に設け、該スライサーＳの基体１０に取付けられた前記刃体１１を受袋２０の開口縁２２で囲み、前記囲んだ状態でこの受袋２０の開口縁２２を前記基体１０に固設したことを特徴とする受袋付きスライサー。
（請求項５）
前記スライサーＳに取付けて使用する受袋２０であって、該受袋２０を網としたことを特徴とする請求項１〜請求項４記載の受袋付きスライサー。
【発明の効果】
【００１３】本受袋付きスライサーＳで野菜等をスライスすると、スライスと同時に前記被スライス物体が基体１０に取付けられてなる前記受袋２０に収納され、この受袋に収納されたままの状態で水洗いから水切りと、本受袋付きスライサーによって一連の作業を簡単に行うことを可能とした。使用後は受袋２０を取り外して保管すれば少しの収納場所で済む。
【図面の簡単な説明】
【００１４】
【図１】は、本発明のスライサーの斜視図である。
【図２】は、本発明の着脱自在とする受袋の斜視図である。
【図３】は、図１の本スライサーに図２の受袋を着けた斜視図である。
【図４】は、図１では片側２個から成る着脱装置を、片側一個とした下面図である。
【図５】は、基体の下面に着脱装置を設け、該着脱装置に受袋のリング状枠の着脱装置′を着けた説明図。
【図６】は、受袋の開口縁にリング状枠の着脱装置′を設けた図である。
【図７】は、図２の受袋の開口縁に設けることが可能な各種着脱装置′の一部円内拡大した説明図である。
【図８】は、基体の側面に着脱装置としてピン受口とピンの例を示す説明図である。
【発明を実施するための形態】
【実施例１】
【００１５】先ず、実施例１を図１〜図４を用いて説明すれば、図１は本発明のスライサーＳの斜視図であって本スライサーＳは基体１０の中程に刃体１１を取付けていて、該刃体１１を四個のフック状からなる着脱装置１７で囲み、該着脱装置１７を基体１０の両側面に固着している。さらに、図２に示す受袋２０は網状で袋底２４・開口部２１・開口縁２２からなり、該開口縁２２を前記基体１０に設けられたフック状の着脱装置１７に掛け（図３）スライサーＳに着脱を自在とした。また図４の下面図に示すように片側複数個からなる着脱装置１７をまとめて単数個とすることも可能である。
【実施例２】
【００１６】実施例２を図５〜図６を用いて説明すれば、図５は本発明のスライサーＳの下面図であって本スライサーＳは基体１０の中程に刃体１１を取付けていて、該刃体１１を四個のフック状からなる着脱装置１７で囲み、該着脱装置１７を基体１０の下面に固着している。さらに受袋２０は袋底２４・開口部２１・開口縁２２からなり、該開口縁２２にリング枠からなる着脱装置’２７を設け、該着脱装置’２７を前記基体１０に設けられたフック状の着脱装置１７に掛け（図５）着脱をする受袋付スライサーとした。前記着脱装置’２７と着脱装置１７に限定されるものではなく図７・図８に示すように適切な形状に設計すればよい。
【実施例３】
【００１７】前記スライサーＳにおいて、該スライサーＳの基体１０に取付けられた刃体１１を受袋２０の開口縁２２で囲み、囲んだ状態で開口縁２２を前記基体１０の下面１４に固着してなる。【００１８】上記本受袋付きスライサーＳで野菜等をスライスすると、スライスと同時に前記被スライス物体が基体１０に取付けられてなる前記受袋２０に即収納され、この受袋に収納されたままの状態で水洗いから水切りと、本受袋付きスライサーによって一連の作業を連続的に行うことを可能とした。
【産業上の利用可能性】
【符号の説明】Ｓ  スライサー    １０  基体        １１  刃体      １３  上面
１４  下面        １５  正面        １６  側面      １７  着脱装置
２０  受袋        ２１  開口部      ２２  開口縁    ２４  袋底
２５  底口        ２７  着脱装置′
【図１】
2015157347.tif 000003
【図２】
2015157347.tif 000004
【図３】
2015157347.tif 000005
【図４】
2015157347.tif 000006
【図５】
2015157347.tif 000007
【図６】
2015157347.tif 000008
【図７】
2015157347.tif 000009
【図８】
2015157347.tif 000010